(57)【要約】【課題】台紙がラベル片から分離しないため、台紙がごみにならないラベルを提供すること。【解決手段】ラベル１は、ラベル片２と台紙３とを重合して成るラベルであって、ラベル片２の重合面の全面に粘着剤４を塗布し、台紙３の重合面を少なくとも２区分し、少なくとも１つの区分面にのみ離型剤５を塗布し、ラベル片２と台紙３とが重合されている。台紙３の離型剤５を塗布した区分面３１を有する部分を、離型剤５を塗布していない区分面３２を有する部分と重なるように折り返すことによって、ラベル片２の重合面の粘着剤４が露出し被着体に貼付する。【選択図】  図４
0003143103.tif 000002
【実用新案登録請求の範囲】
【請求項１】
ラベル片と台紙とを重合して成るラベルであって、
ラベル片の重合面の全面に粘着剤を塗布し、
台紙の重合面を少なくとも２区分し、少なくとも１つの区分面にのみ離型剤を塗布し、
ラベル片と台紙とが重合されており、
台紙の離型剤を塗布した区分面を有する部分を、離型剤を塗布していない区分面を有する部分と重なるように折り返すことによって、ラベル片の重合面の粘着剤が露出し被着体に貼付することを特徴とするラベル。
【請求項２】
台紙の重合面を３区分し、２つの区分面に離型剤を塗布し、離型剤を塗布していない区分面が離型剤を塗布した２つの区分面の間に挟まれた位置にあることを特徴とする請求項１に記載のラベル。
【請求項３】
台紙の離型剤を塗布した区分面を有する部分の折り返す位置を調整することによって、ラベル片の重合面の粘着剤が露出する面積を調整できることを特徴とする請求項１又は２に記載のラベル。
【請求項４】
ラベルを貼付する被着体が廃棄物であることを特徴とする請求項１乃至３のいずれかに記載のラベル。
【考案の詳細な説明】
【技術分野】
【０００１】
本考案は、被着体に貼り付けられるラベルに関し、特にラベルと台紙が分離しないため台紙がごみにならないラベルに関する。
【背景技術】
【０００２】
従来のラベルは、使用の際にラベルから台紙を剥離させて取り除くことによって粘着剤が露出し、被着体に貼付することができる。このようなラベルの一用途としては、例えば被着体である廃棄物を回収する際に、被着体である廃棄物に関する所定事項を記載したラベルを貼り付ける場合がある。
【０００３】
被着体である廃棄物の処理を依頼する側は、被着体である廃棄物の処理を行う自治体等が発行するラベルを必要な分だけ購入する。被着体である廃棄物の処理を依頼する側がラベルに所定事項を記入する場合等を考慮すると、ラベルの粘着剤を塗布した面は被着体である廃棄物に貼り付ける直前に露出することが望ましい。
【０００４】
したがって、このようなラベルは、粘着剤を塗布した面を有するラベル片と粘着剤を塗布した面と重合する台紙とから構成されている。台紙をラベル片から分離させることによって、ラベル片の粘着剤が塗布された面を露出させ、被着体である廃棄物に貼り付けることができるようになっている。
【考案の開示】
【考案が解決しようとする課題】
【０００５】
しかしながら、被着体に貼り付ける際にラベル片から分離させた台紙がごみとなってしまうため、台紙を捨てる手間が増えるという問題があった。  
【０００６】
上記点より本考案は、台紙がラベル片から分離しないため、台紙がごみにならないラベルを提供することを目的とする。
【課題を解決するための手段】
【０００７】
上記課題を解決するため、請求項１のラベルは、ラベル片と台紙とを重合して成るラベルであって、ラベル片の重合面の全面に粘着剤を塗布し、台紙の重合面を少なくとも２区分し、少なくとも１つの区分面にのみ離型剤を塗布し、ラベル片と台紙とが重合されており、台紙の離型剤を塗布した区分面を有する部分を、離型剤を塗布していない区分面を有する部分と重なるように折り返すことによって、ラベル片の重合面の粘着剤が露出し被着体に貼付するようになっている。
【０００８】
請求項２のラベルは、台紙の重合面を３区分し、２つの区分面に離型剤を塗布し、離型剤を塗布していない区分面が離型剤を塗布した２つの区分面の間に挟まれた位置にあるようになっている。
【０００９】
請求項３のラベルは、台紙の離型剤を塗布した区分面を有する部分の折り返す位置を調整することによって、ラベル片の重合面の粘着剤が露出する面積を調整できるようになっている。
【００１０】
請求項４のラベルは、ラベルを貼付する被着体が廃棄物である。
【考案の効果】
【００１１】
請求項１のラベルによれば、ラベル片と台紙とを重合させることによって、台紙の離型剤を塗布していない区分面がラベル片の重合面と粘着剤を介して接着される。一方、台紙の離型剤を塗布した区分面とラベル片の重合面との間では、台紙の離型剤とラベル片の粘着剤との界面が剥離可能となっている。
【００１２】
台紙の離型剤を塗布した区分面をラベル片の重合面から剥離させても、台紙の離型剤を塗布していない区分面がラベル片の重合面と接着された状態が維持される。したがって、台紙がラベル片から分離しないため、台紙がごみにならない。
【００１３】
台紙がラベル片から分離することなく、ラベル片の重合面の粘着剤が露出するので、台紙がごみになることなく、ラベルを被着体に容易に貼り付けることができる。
【００１４】
請求項２のラベルによれば、台紙がラベル片から分離することなくラベル片の重合面の粘着剤が２箇所で露出するので、台紙がごみになることなくラベルを被着体に２箇所で貼り付けることができる。
【００１５】
請求項３のラベルによれば、ラベル片の重合面の粘着剤が露出する面積を調整することによって、被着体に応じた粘着力でラベルを貼り付けることができる。
【００１６】
請求項４のラベルによれば、ラベルを貼付する被着体が廃棄物であることによって、  また、被着体である廃棄物の処理を依頼する側がラベルに所定事項を記入する場合等においても、ラベル片の重合面の粘着剤が露出していないので、被着体である廃棄物の処理を依頼する側が意図しない場所にラベルが張り付いてしまうおそれがない。
【考案を実施するための最良の形態】
【００１７】
以下、本考案の第一実施形態について図面に基づいて説明する。図１は、本考案の第一実施形態のラベル１の斜視図である。ラベル１は矩形をなしており、ラベル片２と台紙３とを重合してなるものである。
【００１８】
図２は、ラベル片２と台紙３とを重合する前の状態を示す斜視図である。ラベル片２の重合面の全面には感圧の糊からなる粘着剤４を塗布している。
【００１９】
本実施形態では台紙３の重合面は、図２の実線及び破線で示される部分である。重合面は、図２中に示した一点鎖線によって２区分されている。図２中に示した一点鎖線の左側が第一区分面３１（離型剤を塗布した区分面）となっており、一点鎖線の右側が第二区分面３２（離型剤を塗布していない区分面）となっている。第一区分面３１には離型剤５を塗布している。
【００２０】
図１に示すように、ラベル片２と台紙３とが重合されると、第二区分面３２はラベル片２の粘着剤４と直接接触する。第二区分面３２とラベル片２の重合面とは粘着剤４によって接着されている。
【００２１】
これに対して、第一区分面３１では、離型剤５が粘着剤４と直接接触する。離型剤５は粘着剤４と接触しても、粘着剤４と剥離可能な状態となっている。図１の状態では、被着体である廃棄物の処理を依頼する側がラベル１に所定事項を記入する場合等においても、ラベル片２の重合面の粘着剤４が露出していないので、被着体である廃棄物の処理を依頼する側が意図しない場所にラベル１が張り付いてしまうおそれがない。
【００２２】
図３に示すように、台紙３の第一区分面３１をラベル片２の重合面から剥離させても、台紙３の第二区分面３２がラベル片２の重合面と接着された状態が維持される。したがって、台紙３がラベル片２から分離しないため、台紙３がごみにならない。
【００２３】
図４に示すように、台紙３の第一区分面３１を有する部分を、第二区分面３２を有する部分と重なるように折り返すことによって、ラベル片２の重合面の粘着剤４が露出する。この露出した粘着剤４を被着体である廃棄物の表面に接触させることによって、ラベル１を被着体である廃棄物に容易に貼り付けることができる。
【００２４】
さらに、図５に示すように、台紙３の第一区分面３１を有する部分の折り返す位置を調整することによって、ラベル片２の重合面の粘着剤４が露出する面積を調整できる。ラベル片２の重合面の粘着剤４が露出する面積を調整することによって、被着体である廃棄物に応じた粘着力でラベル１を貼り付けることができる。
【００２５】
図６は、本考案の第二実施形態のラベル１０を示す。ラベル１０は矩形をなしており、第一実施形態と同様にラベル片２と台紙３を重合してなるものである。
【００２６】
ラベル片２の重合面の全面には感圧の糊からなる粘着剤を塗布しており、粘着剤４が形成されている。
【００２７】
台紙３の重合面を３区分し、２つの区分面３３、３４に離型剤を塗布して離型剤５１、５２を形成し、離型剤を塗布していない区分面３５が離型剤を塗布した２つの区分面３３、３４の間に挟まれた位置にある。
【００２８】
台紙３の離型剤を塗布した区分面３３を有する部分と離型剤を塗布した区分面３４を有する部分とをそれぞれ離型剤を塗布していない区分面３５を有する部分に重ねるように折り返すことによって、ラベル片２の重合面の粘着剤４が２箇所で露出する。この露出した２箇所の粘着剤４を被着体である廃棄物の表面に接触させることによって、ラベル１０を被着体である廃棄物に容易に貼り付けることができる。
【００２９】
上記実施形態では、被着体が廃棄物である場合について説明したがこれに限定されることなく、廃棄物以外のラベルを貼付する物に本考案のラベルを使用することができる。
【００３０】
上記実施形態では、矩形のラベル１、１０について説明したがこれに限定されることなく、例えば、ラベルの形状は円や三角形等の多角形であってもよい。
【００３１】
上記実施形態では、台紙の区分面が２区分及び３区分の場合について説明したが、これに限定されることなく、台紙の区分面が４区分以上であってもよい。
【００３２】
例えば、５区分であれば、矩形の台紙の四隅にそれぞれ離型剤を略三角形状に塗布した部分を形成する。この台紙をラベル片と重合させ、離型剤を塗布した４個の略三角形状の部分をそれぞれ、離型剤を塗布していない区分面と重なるように折り返すことによって、ラベルの四隅でラベル片の重合面の粘着剤が露出する。
【図面の簡単な説明】
【００３３】
【図１】本考案の第一実施形態のラベル１の斜視図である。
【図２】ラベル１のラベル片２と台紙３を重合する前の状態を示す斜視図である。
【図３】ラベル１の台紙３の一部をラベル片から剥離させた状態を示す斜視図である。
【図４】ラベル１の台紙３の一部を折り返した状態を示す斜視図である。
【図５】ラベル１の台紙３の一部を折り返した状態を示す斜視図であって、折り返す位置を変更した状態を示すものである。
【図６】本考案の第二実施形態のラベル１０の斜視図である。
【符号の説明】
【００３４】
１、１０        ラベル
２              ラベル片
３              台紙
４              粘着剤
５、５１、５２  離型剤
３１            第一区分面（離型剤を塗布した区分面）
３２            第二区分面（離型剤を塗布していない区分面）
３３、３４      離型剤を塗布した区分面
３５            離型剤を塗布していない区分面
【図１】
0003143103.tif 000003
【図２】
0003143103.tif 000004
【図３】
0003143103.tif 000005
【図４】
0003143103.tif 000006
【図５】
0003143103.tif 000007
【図６】
0003143103.tif 000008